【事件の表示】
　特許第３３１５２０１号「電子スチルカメラ」の請求項１ないし３に係る特許に対する特許異議の申立てについて、次のとおり決定する。
【結　論】
　訂正を認める。
　特許第３３１５２０１号の請求項１ないし３に係る特許を維持する。
【理　由】
第１　手続の経緯
　本件特許３３１５２０１号の請求項１ないし６に係る発明は、平成５年６月１８日に特許出願され、平成１４年６月７日にその特許の設定登録がなされ、その後、上記特許の請求項１ないし３に係る発明に対して、村田博より特許異議の申立がなされ、取消理由が通知され、その指定期間内である平成１５年６月３０日に訂正請求がなされたものである。
　
第２　訂正の適否についての判断
１　訂正の内容
　特許権者が求めている訂正の内容は、以下のとおりである。
（１）　訂正事項ａ
　特許請求の範囲の請求項１ないし６の記載を、
「　【請求項１】　少なくともスチル画像を記録するスチル画像記録モードと、動画を記録する動画記録モードと、スチル画像と音声を記録するスチル画像および音声記録モードの複数の記録モードを有する電子スチルカメラにおいて、
　前記複数の記録モードの１つを選択する記録モード選択ボタンと、
　前記記録モード選択ボタンにより選択されたモード
に応じた画像と音声の
スタート／ストップボタンによる
し、前記モードにおける前記記録を前記スタート／ストップボタンによるレリーズ操作により終了する
　を備えたことを特徴とする電子スチルカメラ。
　　【請求項２】　前記記録モード選択ボタンにより選択されたモードを表示する記録モード表示手段を備えたことを特徴とする請求項１記載の電子スチルカメラ。
　　【請求項３】　前記記録モード選択ボタンにより選択されたモードに応じた前記記録媒体の残量を表示する残量表示手段を備えたことを特徴とする請求項１または２記載の電子スチルカメラ。
　　【請求項４】　前記制御手段は、再生時に第１の操作ボタンの操作で各記録モードで記録されたデータを選択して再生し、動画または音声を再生する場合には第２の操作ボタンの操作で連続再生することを特徴とする請求項１ないし３のいずれかに記載の電子スチルカメラ。
　　【請求項５】　前記制御手段は、第１の操作ボタンの操作で各記録モードで記録されたデータを選択して再生する場合にその旨を表示する手段を備えたことを特徴とする請求項４記載の電子スチルカメラ。
　　【請求項６】　前記制御手段は、第２の操作ボタンの操作で動画を連続再生している状態で第２の操作ボタンが操作されるとスチル再生し、このスチル再生時に第１の操作ボタンの操作でコマ送り、コマ戻しを行うことを特徴とする請求項４または５記載の電子スチルカメラ。」と訂正する。
（２）　訂正事項ｂ
　明細書の段落７（特許公報２頁左欄３８行〜４６行）の記載を、
「【課題を解決するための手段】　第１の手段は上記目的を達成するために、少なくともスチル画像を記録するスチル画像記録モードと、動画を記録する動画記録モードと、スチル画像と音声を記録するスチル画像および音声記録モードの複数の記録モードを有する電子スチルカメラにおいて、前記複数の記録モードの１つを選択する記録モード選択ボタンと、前記記録モード選択ボタンにより選択されたモード
に応じた画像と音声の
スタート／ストップボタンによる
し、前記モードにおける前記記録を前記スタート／ストップボタンによるレリーズ操作により終了する
　
２　訂正の目的の適否、新規事項の有無及び拡張・変更の存否
（１）　訂正事項ａについて
　訂正後の請求項１は、特許明細書の段落２６（特許公報３頁右欄２０行〜２６行）の記載に基づいて、特許明細書の請求項１の「前記記録モード選択ボタンにより選択されたモードの記録をレリーズボタンの操作で開始する制御手段」を「前記記録モード選択ボタンにより選択されたモード
に応じた画像と音声の
スタート／ストップボタンによる
し、前記モードにおける前記記録を前記スタート／ストップボタンによるレリーズ操作により終了する
（２）　訂正事項ｂについて
　特許請求の範囲の訂正にともない、課題を解決するための手段の項の、対応する箇所を訂正するものであり、明りょうでない記載の釈明に該当する。
（３）　よって、上記訂正事項ａｂは、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。また、請求項４ないし６は、特許異議の申立てがされていない請求項であり、請求項１を引用する項であるので、実質的に特許請求の範囲の減縮を目的とするものであり、独立特許要件を満たすものである。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項に適合するので、当該訂正を認める。
　
第３　特許異議の申立についての判断
１　申立の理由の概要
　申立人村田博は、証拠として、甲第１号証（特開平２−４４８６７号公報、以下「刊行物１」という。）、甲第２号証（特開昭６３−３１３７７号公報、以下「刊行物２」という。）及び甲第３号証（特開昭６３−３７８６２号公報、以下「刊行物３」という。）を提出し、特許請求の範囲の請求項１ないし３に係る発明は、甲第１ないし３号証に記載された発明に基づいて当業者が容易に発明をすることができたものであり、特許法第２９条第２項の規定により特許を受けることができないものであるから、特許を取り消すべきと主張している。
　
２　本件発明
　異議申立の対象である特許明細書の請求項１ないし３に係る発明は、上記訂正請求により訂正されたので、訂正明細書の特許請求の範囲の請求項１ないし３に係る発明（以下、それぞれ「本件発明１ないし３」という。）は、その請求項１ないし３に記載されたとおりのものである。
「【請求項１】〜【請求項３】上記（訂正事項ａ）のとおり。」
　
３　刊行物記載の発明
（１）　本件発明に対して当審が通知した取消理由で引用した刊行物１には、「音声記録機能を有したカメラ」に関して、
（ア）「映像情報を記録する手段と、音声を記録する手段を有し、音声を記録する録音モードと記録しない非録音モードとを切り換え自在とし、また、映像記録を１画面だけ行なうシングル撮影モードと連続して複数画面の撮影を行なう連続撮影モードとを切り換え自在としてなるカメラ」（公報１頁左下欄、特許請求の範囲）が記載され、さらに具体的に、
（イ）「撮影動作を行うときのレリーズスイッチＳ２、録音するかしないかのモードを選択する録音スイッチＳ３、１枚だけのシングル撮影と連続して複数枚の撮影を行う連写とセルフタイマを用いた撮影を行うセルフの各モード切換えを行うスイッチＳ４」（公報３頁右下欄１０行〜１６行）が記載され、
（ウ）ＣＰＵ１が、レリーズスイッチＳ２がオンされることにより（♯６８）、レリーズルーチン（♯７４）およびフロッピーへの画像記録（♯７５）を行い、続いてモードの選択のメモリ情報が連写モードかどうかをみて（♯７８）、連写を行い、さらに録音スイッチＳ３の設定によるメモリ情報をみて（♯８５）、録音（♯８６〜８７）を行う旨（５頁右下欄１４行〜６頁右下欄１３行、第３図）が、記載されている。すなわち、スイッチＳ３、Ｓ４で選択されたモードの記録を、レリーズスイッチＳ２の操作で開始することが、開示されている。
（エ）記録の終了については、「測光・測距スイッチＳ１がＯＦＦからＯＮになったかをみる（♯８９）。ここに、操作者が途中で録音を中止したいとの意志を表示するには、スイッチＳ１をＯＦＦし再度ＯＮするように設定していることから、♯８９でＹＥＳ、つまり録音の中止の場合は、・・音声メモリを終了する（♯９５）」（６頁右上欄４行〜１１行、第３図）と記載されている。
（２）　同じく引用した刊行物２には、ムービー撮影とスチル撮影の選択が可能な撮像装置が記載され、「スチルモードとムービーモードとを切り換えるモード切り換えスイッチＭＳＷ」（公報４頁右上欄１３行〜１５行）が記載されている。
（３）　同じく引用した刊行物３には、記録モードに応じた記録残量を表示する表示部が開示されている。
　
４　対比・判断
（１）　本件発明１
　本件発明１と刊行物１に記載された発明とを対比すると、本件発明１は、「記録モード選択ボタンにより選択されたモード
に応じた画像と音声の
スタート／ストップボタンによる
し、前記モードにおける前記記録を前記スタート／ストップボタンによるレリーズ操作により終了する
　すなわち、刊行物１には、記録を開始するレリーズスイッチとは異なる測光・測距スイッチＳ１で記録を終了させることが、記載されているのみである。
　また、刊行物２および３のいずれにも、上記構成Ａが記載されておらず、示唆もない。
　上記構成Ａについては、いずれの刊行物にも記載されておらず、上記構成Ａにより、「複数の記録モードを記録モード選択ボタンにより選択することができるので、スチル画像と、動画と音声を記録可能な場合に記録時の操作を簡略化し、また、操作ボタンを減少することができる」という明細書記載の顕著な効果を奏している。
　よって、本件発明１は刊行物１ないし３に記載された発明に基づいて容易に発明をすることができたものでもない。
（２）　本件発明２、３
　本件発明２および３は、請求項１である本件発明１を引用するものであるので、上記（１）と同様の理由により、刊行物１ないし３に記載された発明に基づいて容易に発明をすることができたものではない。
　
５　むすび
　以上のとおりであるから、特許異議申立の理由及び証拠によっては、本件発明１ないし３に係る発明の特許を取り消すことはできない。
　また、他に本件発明１ないし３に係る発明の特許を取り消すべき理由を発見しない。
　よって、結論のとおり決定する。
【異議決定日】
平成１５年７月２９日（２００３．７．２９）
【訂正の要旨】
審決（決定）の【理由】欄参照。
（５４）【発明の名称】
電子スチルカメラ
（５７）【特許請求の範囲】
　【請求項１】　少なくともスチル画像を記録するスチル画像記録モードと、動画を記録する動画記録モードと、スチル画像と音声を記録するスチル画像および音声記録モードの複数の記録モードを有する電子スチルカメラにおいて、
　前記複数の記録モードの１つを選択する記録モード選択ボタンと、
　前記記録モード選択ボタンにより選択されたモード
に応じた画像と音声の
スタート／ストップボタンによる
し、前記モードにおける前記記録を前記スタート／ストップボタンによるレリーズ操作により終了する
を備えたことを特徴とする電子スチルカメラ。
　【請求項２】　前記記録モード選択ボタンにより選択されたモードを表示する記録モード表示手段を備えたことを特徴とする請求項１記載の電子スチルカメラ。
　【請求項３】　前記記録モード選択ボタンにより選択されたモードに応じた前記記録媒体の残量を表示する残量表示手段を備えたことを特徴とする請求項１または２記載の電子スチルカメラ。
　【請求項４】　前記制御手段は、再生時に第１の操作ボタンの操作で各記録モードで記録されたデータを選択して再生し、動画または音声を再生する場合には第２の操作ボタンの操作で連続再生することを特徴とする請求項１ないし３のいずれかに記載の電子スチルカメラ。
　【請求項５】　前記制御手段は、第１の操作ボタンの操作で各記録モードで記録されたデータを選択して再生する場合にその旨を表示する手段を備えたことを特徴とする請求項４記載の電子スチルカメラ。
　【請求項６】　前記制御手段は、第２の操作ボタンの操作で動画を連続再生している状態で第２の操作ボタンが操作されるとスチル再生し、このスチル再生時に第１の操作ボタンの操作でコマ送り、コマ戻しを行うことを特徴とする請求項４または５記載の電子スチルカメラ。
【発明の詳細な説明】
　【０００１】
　【産業上の利用分野】
　本発明は、スチル画像のみならず動画や音声を記録可能な電子スチルカメラに関する。
　【０００２】
　【従来の技術】
　従来、この種の電子カメラとしては、例えば特開平２−９７１８３号公報に示すように音声のみ、映像のみ、音声と映像の両方が記録されている場合に再生時にその種別を表示するものが提案されている。また、記録媒体の残りの容量を表示する方法としては例えば特開平２−２２２３８３号公報、特開平２−２４８１７４号公報、特開平４−１０７０８０号公報に示されている。
　【０００３】
　また、操作スイッチの数を減少する方法としては特開平２−２８０４８５号公報に示され、連写機能で撮影、記録された画像を所定周期で連続して読み出す方法としては特開平２−２２２３８４号公報に示され、映像と音声をレリーズボタンで記録する方法としては特開平２−２８０４７８号公報に示されている。
　【０００４】
　【発明が解決しようとする課題】
　ところで、スチル画像のみならず動画や音声を記録可能な電子スチルカメラでは、それぞれのモードにおける記録時および再生時の操作が複雑になるという問題点があり、また、それぞれの記録モードの記録容量が異なるので記録媒体の残りの容量が分かりにくいという問題点がある。
　【０００５】
　本発明は上記従来の問題点に鑑み、スチル画像と、動画と音声を記録可能な場合に記録時および再生時の操作を簡略化し、また、操作ボタンを減少することができる電子カメラを提供することを目的とする。
　【０００６】
　本発明はまた、スチル画像と、動画と音声を記録可能な場合に記録媒体の残りの容量を正確に表示することができる電子カメラを提供することを目的とする。
　【０００７】
　【課題を解決するための手段】
　第１の手段は上記目的を達成するために、少なくともスチル画像を記録するスチル画像記録モードと、動画を記録する動画記録モードと、スチル画像と音声を記録するスチル画像および音声記録モードの複数の記録モードを有する電子スチルカメラにおいて、前記複数の記録モードの１つを選択する記録モード選択ボタンと、前記記録モード選択ボタンにより選択されたモード
に応じた画像と音声の記録をスタート／ストップボタンによる
し、前記モードにおける前記記録を前記スタート／ストップボタンによるレリーズ操作により終了する
　【０００８】
　第２の手段は、第１の手段において前記記録モード選択ボタンにより選択されたモードを表示する記録モード表示手段を備えたことを特徴とする。
　【０００９】
　第３の手段は、第１または第２の手段において前記記録モード選択ボタンにより選択されたモードに応じた前記記録媒体の残量を表示する残量表示手段を備えたことを特徴とする。
　【００１０】
　第４の手段は、第１ないし第３の手段において前記制御手段が再生時に第１の操作ボタンの操作で各記録モードで記録されたデータを選択して再生し、動画または音声を再生する場合には第２の操作ボタンの操作で連続再生することを特徴とする。
　【００１１】
　第５の手段は、第４の手段において前記制御手段が第１の操作ボタンの操作で各記録モードで記録されたデータを選択して再生する場合にその旨を表示する手段を備えたことを特徴とする。
　【００１２】
　第６の手段は、第４または第５の手段において前記制御手段が第２の操作ボタンの操作で動画を連続再生している状態で第２の操作ボタンが操作されるとスチル再生し、このスチル再生時に第１の操作ボタンの操作でコマ送り、コマ戻しを行うことを特徴とする。
　【００１３】
　【作用】
　第１の手段では、少なくともスチル画像を記録するモードと、動画を記録するモードとスチル画像と音声を記録するモードの１つが記録モード選択ボタンにより選択され、レリーズボタンの操作でそのモードの記録を開始する。したがって、複数の記録モードを記録モード選択ボタンにより選択することができるので、スチル画像と、動画と音声を記録可能な場合に記録時の操作を簡略化し、また、操作ボタンを減少することができる。
　【００１４】
　第２の手段では、記録モード選択ボタンにより選択されたモードが表示されるので、スチル画像と、動画と音声を記録可能な場合に記録時の操作を簡略化することができる。
　【００１５】
　第３の手段では、記録モード選択ボタンにより選択されたモードに応じた記録媒体の残量が表示されるので、スチル画像と、動画と音声を記録可能な場合に記録媒体の残りの容量を正確に表示することができる。
　【００１６】
　第４の手段では、再生時に第１の操作ボタンの操作で各記録モードで記録されたデータを選択して再生し、動画または音声を再生する場合には第２の操作ボタンの操作で連続再生するので、スチル画像と、動画と音声を記録可能な場合に再生時の操作を簡略化し、また、操作ボタンを減少することができる。
　【００１７】
　第５の手段では、第１の操作ボタンの操作で各記録モードで記録されたデータを選択して再生する場合にその旨を表示するので、スチル画像と、動画と音声を記録可能な場合に再生時の操作を簡略化することができる。
　【００１８】
　第６の手段では、第２の操作ボタンの操作で動画を連続再生している状態で第２の操作ボタンが操作されるとスチル再生し、このスチル再生時に第１の操作ボタンの操作でコマ送り、コマ戻しを行うので、スチル画像と、動画と音声を記録可能な場合に再生時の操作を簡略化し、また、操作ボタンを減少することができる。
　【００１９】
　【実施例】
　以下、図面を参照して本発明の実施例を説明する。図１は本発明に係る電子カメラの一実施例の操作および表示部を示す説明図、図２は図１の操作および表示部を備えた電子カメラの概略を示すブロック図、図３は図２のメモリカードの記録内容を示す説明図である。
　【００２０】
　まず、図２を参照して本実施例の電子カメラの概略を説明する。ＣＣＤカメラ部１により撮像された信号は映像信号処理部２により処理され、映像信号処理部２から得られた輝度信号と色差信号等がＡ／Ｄ変換器３によりディジタル信号に変換され、Ａ／Ｄ変換器３により変換された１画面分の輝度信号はフレームメモリ４に格納される。画面分割部５は露出制御部６がＣＣＤカメラ部１の露出の補正量を算出するために画面をブロック毎に分割し、露出制御部６はこのブロックに毎に演算を行って露出の補正量を算出し、ＣＰＵ７は露出制御部５の演算結果に基づいてＣＣＤカメラ制御部９を介してＣＣＤカメラ部１の露出を制御する。
　【００２１】
　フレームメモリ４に格納された画像は所定の圧縮方法で圧縮された後、例えば着脱可能なメモリカード８に記録され、また、再生時にはメモリカード８から画像が読み出されて所定の伸長方法で伸長された後表示部１１により表示される。
　【００２２】
　音声はマイクロホン１２により音声信号に変換され、増幅器１２により増幅された後Ａ／Ｄ変換器１４によりディジタル信号に変換され、所定の圧縮方法で圧縮された後メモリカード８に記録される。再生時にはメモリカード８から読み出された音声符号は、所定の伸長方法で伸長された後Ｄ／Ａ変換器１５によりアナログ信号に変換され、増幅器１６により増幅された後スピーカ１７により再生される。
　【００２３】
　ＣＰＵ７はまた、操作および表示部１０の操作ボタンの操作に応じた制御とその表示を制御し、この電子スチルカメラでは一例として、スチル画像１枚を１グループとする静止画記録モードと、１０秒の音声付きスチル画像を１グループとする静止画＋音記録モードと、１回のアクションにより複数のスチル画像が連続して記録される連写を１グループとする連写記録モードと、５秒動画を１グループとする動画記録モードと、１回のアクションにより連続して記録される音声のみを１グループとする音声記録モードの５つの記録モードとその再生モードを有する。
　【００２４】
　そして、図１に示すようにこの操作および表示部１０は一例として、電源のオンオフと電源オン時の記録／再生モードを選択するためのメインスイッチ１０１と、上記５つの記録モードをそれぞれ表示する記録モード表示器１０２〜１０６と、各記録モードが選択された場合のメモリカード８の残量（画像は残り枚数、音声は残り時間）を表示する残量表示器１０７と、再生データの種別を表示するための再生データ表示器１０８と、上記５つの記録モードを選択するための記録モードボタン１２１と、ストロボ／消去ボタン１２２と、スタート／ストップボタン１２３と、前、次の各再生セレクトボタン１２４、１２５を有する。また、前の再生セレクトボタン１２４はコマ戻し、逆スロー、早戻しの操作ボタンを兼用し、次の再生セレクトボタン１２５はコマ送り、正スロー、早送りの操作ボタンを兼用している。
　【００２５】
　このような構成において、メインスイッチ１０１により記録モードが選択されると、装置の電源がオンになるととともに記録モードが設定され、この状態で記録モードボタン１２１が押される毎に静止画記録モード、静止画＋音記録モード、連写記録モード、動画記録モード、音声記録モードが設定されるとともに各記録モードの表示器１０２〜１０６が順次点灯し、また、選択された記録モードにおけるメモリカード８の残量が残量表示器１０７に表示される。
　【００２６】
　そして、記録モードが設定された状態でスタート／ストップボタン１２３が押されると記録モードに応じた画像と音声がメモリカード８に記録され、また、スタート／ストップボタン１２３が押されると記録を停止する。したがって、スタート／ストップボタン１２３によりレリーズ操作で記録開始と記録終了を行うことができる。
　【００２７】
　また、メインスイッチ１０１により再生モードが選択されると、装置の電源がオンになるととともに再生モードが設定され、例えばメモリカード８に最後に記録されたデータが選択されて再生される。図３は一例として、静止画、動画、静止画、静止画、連写、音声、動画、静止画＋音の順でメモリカード８に記録された例を示し、このような記録状態において再生モードが設定されると、最後に記録された静止画＋音が再生される。
　【００２８】
　また、この再生中に前、次の各再生セレクトボタン１２４、１２５が操作されると、図３に示すような順序でメモリカード８に記録されたデータが選択的に再生される。ここで、静止画＋音を再生する場合には音声再生待機時に音声付きであることをキャラクタジェネレータにより文字を発生して再生データ表示器１０８に表示してもよい。
　【００２９】
　また、連写や動画を再生する場合には１枚目を再生して連続再生の待機状態になり、音声を再生する場合には音声であることを再生データ表示器１０８に表示して待機状態になり、この待機状態でスタート／ストップボタン１２３が押されると連続再生を行うようにしてもよい。また、連写や動画を連続再生している間にスタート／ストップボタン１２３が押されると連写や動画を静止画として再生データ表示器１０８に表示し、また、この静止画表示時にはコマ送りボタン（次の再生セレクトボタン）１２５、コマ戻しボタン（前の再生セレクトボタン）１２４が押下される毎にそれぞれ静止画のコマ送り、コマ戻しが行われ、また、ボタン１２４が継続して押下されるとスロー再生が行われる。
　【００３０】
　【発明の効果】
　以上説明したように、請求項１記載の発明は、少なくともスチル画像を記録するモードと、動画を記録するモードとスチル画像と音声を記録するモードの１つが記録モード選択ボタンにより選択され、レリーズボタンの操作でそのモードの記録を開始する。したがって、複数の記録モードを記録モード選択ボタンにより選択することができるので、スチル画像と、動画と音声を記録可能な場合に記録時の操作を簡略化し、また、操作ボタンを減少することができる。
　【００３１】
　請求項２記載の発明は、記録モード選択ボタンにより選択されたモードが表示されるので、スチル画像と、動画と音声を記録可能な場合に記録時の操作を簡略化することができる。
　【００３２】
　請求項３記載の発明は、記録モード選択ボタンにより選択されたモードに応じた記録媒体の残量が表示されるので、スチル画像と、動画と音声を記録可能な場合に記録媒体の残りの容量を正確に表示することができる。
　【００３３】
　請求項４記載の発明は、再生時に第１の操作ボタンの操作で各記録モードで記録されたデータを選択して再生し、動画または音声を再生する場合には第２の操作ボタンの操作で連続再生するので、スチル画像と、動画と音声を記録可能な場合に再生時の操作を簡略化し、また、操作ボタンを減少することができる。
　【００３４】
　請求項５記載の発明は、第１の操作ボタンの操作で各記録モードで記録されたデータを選択して再生する場合にその旨を表示するので、スチル画像と、動画と音声を記録可能な場合に再生時の操作を簡略化することができる。
　【００３５】
　請求項６記載の発明は、第２の操作ボタンの操作で動画を連続再生している状態で第２の操作ボタンが操作されるとスチル再生し、このスチル再生時に第１の操作ボタンの操作でコマ送り、コマ戻しを行うので、スチル画像と、動画と音声を記録可能な場合に再生時の操作を簡略化し、また、操作ボタンを減少することができる。
【図面の簡単な説明】
　【図１】
　本発明に係る電子カメラの一実施例の操作および表示部を示す説明図である。
　【図２】
　図１の操作および表示部を備えた電子カメラの概略を示すブロック図である。
　【図３】
　図２のメモリカードの記録内容を示す説明図である。
　【符号の説明】
　１　ＣＣＤカメラ部
　７　ＣＰＵ
　８　メモリカード
　１０　操作および表示部
　１１　表示部
　１０１　メインスイッチ
　１０２〜１０６　記録モード表示器
　１０７　残量表示器
　１０８　再生データ表示器
　１２１　記録モードボタン
　１２３　スタート／ストップボタン
　１２４　前再生セレクトボタン
　１２５　次再生セレクトボタン